(57)【要約】【課題】発射された遊技球の軌道を安定化させた遊技機を提供する。【解決手段】案内部材５０は略直方体の形状をし、内部には遊技球７０の通過路５１として案内部材５０の長手方向に水平になるように略円柱の空洞がある。また、案内部材５０の上面に設けられた螺合孔５２に突出部材６０が螺合する。突出部材６０は、頭部６１とネジ部６２と弾性部材としてのバネ６３と先端部６４とから構成されており、先端部６４は螺合孔５２の通過路５１側の端に、遊技球７０が通過路５１を通過した際に、遊技球７０の表面が先端部６４の曲面に接触する程度に突出して係止されている。したがって、遊技球７０が突出部材６０の下方を通過する際には、先端部６４に接触し、進行方向と逆方向に回転がかかる。【選択図】  図２
2004283496.tif 000002
【特許請求の範囲】
【請求項１】
遊技領域が形成された遊技盤を載置するフレームと、
当該フレームの下部に取り付けられ、遊技球を前記遊技領域に向けて発射する発射装置と、
前記発射装置が発射した遊技球の通過経路上に配置され、前記遊技球が通過する貫通孔が形成された案内部材と、
当該貫通孔の内部に突出し、当該貫通孔を通過する遊技球が接触する突出部材と
を備えたことを特徴とする遊技機。
【請求項２】
前記案内部材は前記貫通孔の穿設方向と交差する方向に穿設され、螺旋溝を有した孔部を備え、
前記突出部材は、
雄ネジ形状に形成されて前記孔部に螺合するネジ部と、
前記孔部の貫通孔側に退出可能に係止されて、当該貫通孔の内部へ突出する先端部と、
前記ネジ部と前記先端部との間に設けられた弾性部材とを備え、
前記ネジ部の回動により、前記先端部への弾性部材の付勢力が調整可能であることを特徴とする請求項１に記載の遊技機。
【請求項３】
前記案内部材の前記貫通孔には複数の螺線状溝が備えられていることを特徴とする請求項１又は２に記載の遊技機。
【発明の詳細な説明】
【０００１】
【発明の属する技術分野】
本発明は、遊技機に関し、詳細には、発射する遊技球に回転を与えることができる遊技機に関するものである。
【０００２】
【従来の技術】
従来、遊技機の一種であるパチンコ機は、遊技媒体である遊技球を遊技領域に発射するために、発射槌により遊技球を殴打することにより発射していた（例えば、特許文献１）。また、複数の回転体で遊技球を挟み込み、回転体の回転力により発射することも提案されている（例えば、特許文献２）。
【０００３】
【特許文献１】
特許第２７０２６７３号公報
【特許文献２】
実公平３−４６７８５号公報
【０００４】
【発明が解決しようとする課題】
しかしながら、発射槌で遊技球を発射する場合には、発射された遊技球の軌道は、遊技球と発射槌との打点や打力により不安定であるという問題点があった。また、複数の回転体の回転力により発射するものでも発射軌道が安定しないという問題点があった。さらに、複数の回転体を設けるためには、構造が複雑になるという問題点があった。
【０００５】
本発明は、上述の課題を解決するためになされたものであり、発射された遊技球の軌道を安定化させた遊技機を提供することを目的とする。
【０００６】
【課題を解決するための手段】
上記目的を達成するために、請求項１に記載の遊技機は、遊技領域が形成された遊技盤を載置するフレームと、当該フレームの下部に取り付けられ、遊技球を前記遊技領域に向けて発射する発射装置と、前記発射装置が発射した遊技球の通過経路上に配置され、前記遊技球が通過する貫通孔が形成された案内部材と、当該貫通孔の内部に突出し、当該貫通孔を通過する遊技球が接触する突出部材とを備えている。
【０００７】
この構成の遊技機では、フレームは、遊技領域が形成された遊技盤を載置し、発射装置はフレームの下部に取り付けられており、遊技球を遊技領域に向けて発射する。そして、案内部材は、発射装置が発射した遊技球の通過経路上に配置されており、遊技球が通過する貫通孔が形成されている。突出部材は、貫通孔の内部に突出し、貫通孔を通過する遊技球が接触し、遊技球へ回転が与えられる。
【０００８】
また、請求項２に係る発明の遊技機では、請求項１に記載の発明の構成に加えて、前記案内部材は前記貫通孔の穿設方向と交差する方向に穿設され、螺旋溝を有した孔部を備え、前記突出部材は、雄ネジ形状に形成されて前記孔部に螺合するネジ部と、前記孔部の貫通孔側に退出可能に係止されて、当該貫通孔の内部へ突出する先端部と、前記ネジ部と前記先端部との間に設けられた弾性部材とを備え、前記ネジ部の回動により、前記先端部への弾性部材の付勢力が調整可能であることを特徴とする構成となっている。
【０００９】
この構成の遊技機では、請求項１に記載の発明の作用に加えて、案内部材に備えられた孔部は貫通孔の穿設方向と交差する方向に穿設され、螺旋溝を有しており、突出部材のネジ部は、雄ネジ形状に形成されて孔部に螺合し、先端部は、孔部の貫通孔側に退出可能に係止されて、貫通孔の内部へ突出し、弾性部材は、ネジ部と先端部との間に設けられている。そして、ネジ部の回動により、弾性部材の付勢力が調整可能であるので、孔部の螺旋溝とネジ部を深くまで螺合することにより付勢力は強められ、浅く螺合することにより付勢力を弱められる。そして、付勢力を調整することにより、遊技球への回転付与が調整される。
【００１０】
また、請求項３に係る発明の遊技機では、請求項１又は２に発明の構成に加えて、前記案内部材の前記貫通孔には複数の螺線状溝が備えられていることを特徴とする構成となっている。
【００１１】
この構成の遊技機では、請求項１又は２に記載の発明の作用に加えて、案内部材の貫通孔には複数の螺線状溝により、遊技球に進行方向と直行する方向の回転が与えられる。
【００１２】
尚、本発明の遊技機では、発射装置から発射された遊技機を遊技領域方向に案内する発射レールを備えてもよい。また、案内部材は発射レール上、発射レールと発射装置との間、発射レールと遊技領域との間のいずれに設けてもよい。
【００１３】
【発明の実施の形態】
以下、本発明の実施形態について、図面に基づいて説明する。図１は、本発明の遊技機であるパチンコ機１のガラス枠及び上下の皿扉を開放した状態の正面図である。図１に示すように、本実施形態のパチンコ機１は、縦長の矩形状に枠組み形成された機枠２と、機枠２の一側にヒンジ機構３により開閉自在に装着されるフレーム４とを備えている。さらに、フレーム４の前面には、遊技盤７が設けられており、そこには、後述する発射装置から発射される遊技球を案内するための円弧状の外レール３１及び内レール３２が取り付けられている。これらの外レール３１の一部と内レール３２により遊技領域３３が形成されている。遊技領域３３には、遊技球が入賞する各種の役物や、装飾用の電飾ランプ、ＬＥＤ、風車、多数の障害釘等（図示外）が設けられている。遊技領域３３の下方正面視右側には、遊技球を遊技領域に向けて発射する発射装置を備えた発射ユニット１１が配設されている。また、遊技領域３３の下方中央部にはスピーカー（図示外）が、正面視左側にはこぼれ球を受ける球受け部（図示外）が配置される。
【００１４】
次に、発射ユニット１１について説明する。発射ユニット１１は、遊技者の発射ハンドルの操作に従って、発射位置に置かれた遊技球を打撃して発射させる発射槌１２と、発射槌１２を駆動する発射モータ１３と、発射槌１２により発射された遊技球を遊技盤上に案内する、断面がＭ字形状となっている直線状の発射レール１４とが、１枚の金属板により形成されたベースプレート１５に一体となって組み付けられている。発射槌１２と発射レール１４とはベースプレート１５の図１における手前面に配設され、発射モータ１３は、ベースプレート１５の図１における裏面の、発射槌１２の裏側にあたる部分に配設されている。また、発射レール１４の上面は、発射槌１２により打撃された遊技球が通過する経路となっており、突出部材６０を備えた案内部材５０が、発射槌１２の発射動作を阻害しない程度に、なるべく発射槌１２に近い位置に設置されている。
【００１５】
尚、遊技球の接触による衝撃により遊技球の進行方向に移動しないように、Ｌ字型の取付部材（図示外）によりベースプレート１５に固定されている。このＬ字型の取付部材は案内部材５０の上面５３の遊技球進行方向の右端に備えられており、Ｌ字形状の他の一辺はベースプレート１５に接する。そして、ベースプレート１５側の一辺は取付穴（図示外）を有しており、ベースプレート１５に設けられたベースプレート側取付穴（図示外）にボルト等で嵌合されることにより、案内部材５０はベースプレート１５に固定される。尚、ベースプレート側取付穴は複数設けられており、案内部材５０の設置位置を変更することができる。尚、この案内部材５０は、遊技球を傷付けないように遊技球よりもやわらかい素材（例えば、樹脂）でできている。
【００１６】
次に、図２乃至４を参照して発明の要部である突出部材６０を備えた案内部材５０について説明する。図２は、突出部材６０と案内部材５０との螺合を解いた分解斜視図である。図３は、突出部材６０が取り付けられている案内部材５０をＡ方向から見た断面図である。図４は、突出部材６０が取り付けられている案内部材５０をＢ方向から見た断面図である。図５は、遊技球７０が突出部材６０に接触している状態で案内部材５０をＢ方向から見た断面図である。
【００１７】
図２に示すように、案内部材５０は略直方体の形状をしており、内部には案内部材５０の長手方向に水平になるように略円柱の空洞が遊技球の通過路５１として穿設されている。この円柱の直径は、遊技球の直径（１１ｍｍ）よりも少し大きく穿設されており、発射槌１２により打撃された遊技球７０が通過できるようになっている。また、後述する突出部材６０の先端部６４が遊技球７０に接触する程度の径（一例として、１３ｍｍ）に穿設されている。なお、図２に示す例では、図２における通過路５１の右手奥側が遊技球７０の入口、左手手前側が遊技球７０の出口となっており、図４に示す例においては、図４における正面視右側が遊技球７０の入口、正面視左側が遊技球７０の出口となっている。また、案内部材５０の上面５３の出口側には、通過路５１及び上面５３に垂直に、即ち、通過路５１の穿設方向と直行方向に交差する方向に螺合孔５２が穿設されており、通過路５１へ貫通している。そして、螺合孔５２には、後述する突出部材６０のネジ部６２を螺合させるための螺旋溝５２ａが設けられている。
【００１８】
次に、突出部材６０について説明する。突出部材６０は、頭部６１とネジ部６２と弾性部材としてのバネ６３と先端部６４とから構成されている。頭部６１は、突出部材６０が案内部材５０に設置されている際に、ねじ６２と螺合孔５２との螺合具合を調整する場合に、調整者がマイナスドライバーを直交溝６１ａに嵌合させて回す部分であり、略円柱の形状をしている。頭部６１の下部には、螺合孔５２の螺旋溝５２ａと螺合するように溝が切られているネジ部６２が設けられている。さらに、ネジ部６２の下部には巻きバネ形状のバネ６３が設けられており、バネ６３の下部には先端部６４が設けられている。尚、バネ６３の付勢力は、先端部６４方向へ働いている。また、先端部６４は略半球の形状をしており、平面側にバネ６３が取り付けられており、曲面側が通過路５１へ突出している。尚、この先端部の半径は螺合孔５２の半径よりも微少に小さく設計されており、螺合孔５２の通過路５１側の端に係止されて、通過路５１内へ落下しないようになっている。そして、遊技球７０が通過路５１を通過した際には、遊技球７０の表面が先端部６４の曲面に接触する程度に突出している。
【００１９】
このように構成された案内部材５０の通過路５１へ遊技球７０が進入し、突出部材６０の下方を通過する際には、図５に示すように、遊技球７０が先端部６４に接触する。そして、接触することにより先端部６４は付勢力に抗して移動する。そして、接触することにより遊技球７０には進行方向と逆方向（図５における矢印Ｃ方向）に回転（バックスピン）がかかる。尚、遊技球７０が先端部６４の下方を通過した後には、先端部６４はバネ６３の付勢力により通過路５１側へ移動し、遊技球７０と接触する以前の位置にもどる。したがって、遊技球７０はバックスピンがかかって回転することにより、回転しない遊技球に比べて軌道が安定する。
【００２０】
尚、本発明は、以上詳述した実施の形態に限定されるものではなく、種々の変更が可能である。以下に、本発明を適用する実施の形態の変形例について説明する。上記実施の形態では、突出部材６０に頭部６１とネジ部６２と弾性部材としてのバネ６３と先端部６４とを設けたが、先端部６４のみを通過路５１を形成する面に固定して設けてもよい。この際には突出部材６０を設ける位置は、通過路５１の出口側上部に限らず、通過路５１を形成する面であればどこでもよい。また、案内部材５０の設置位置も図１に示す位置に限らず、発射された遊技球が遊技領域３３に打ち込まれるまでの軌跡上であればどこでもよい。
【００２１】
また、上記実施の形態では、弾性部材として円柱形の巻きバネであるバネ６３を使用したが、弾性部材はバネ６３に限らず、先端部６４が弾性部材側に移動してきた際にそれを押し返す付勢力を持つ素材であればよい。例えば、柱型、たる型、円錐型等の他の形状の巻きバネ、板バネ、ゴム、スポンジ等でもよい。また、突出部材６０を設置する位置は、案内部材５０の上面５３の出口側に限らず、中央近傍や入口側であってもよい。また、突出部材６０は案内部材５０の上面５３にある必要はなく、側面や底面に備えられていてもよい。
【００２２】
また、図６は、本発明の変形例の一例であり、通過路５１を形成する面に複数の螺線状の溝６５が設けられている案内部材５０の断面図である。この溝６５はライフル等の銃器の銃身内に設けられているライフリング溝と同様の働きを成すものであり、溝６５が進行方向に対して右に傾いている場合には、通過路５１を通過する遊技球７０に進行方向に対して右方向に回転がかかり、溝６５が進行方向に対して左に傾いている場合には、通過路５１を通過する遊技球７０に進行方向に対して左方向に回転がかかる。このような構造にすることにより、遊技球にはバックスピンと進行方向に直交する回転とがかかり、遊技球の軌道が安定する。尚、この溝６５が設けられている場合には、突出部材６０を設けないようにしてもよく、先端部のみを通過路５１を形成する面に設けてもよい。この場合にも、遊技球には進行方向に直交する回転がかかり、遊技球の軌道が安定する。
【００２３】
また、図７は、本発明の変形例の一例である、底辺部分がカットされた案内部材５０の断面図である。この例では、案内部材５０の底辺部分がカットされカット面５４が形成され、発射レール１４の上面１４ａに、カット面５４と上面１４ａとが対向するように、Ｌ字型の取付部材２０により固定されている。したがって、発射レール１４の上面１４ａと案内部材５０とで通過路５１が形成されている。このため、発射された遊技球は、案内部材５０の底辺部分の段差等の影響を受けることなく案内部材５０の通過路５１へ進入することができる。また、取付部材２０は案内部材５０に備えられている部材であり、発射レール１４の上面１４ａに接する面には取付穴（図示外）を有している。そして、上面１４ａにもレール側取付穴（図示外）が設けられており、取付穴及びレール側取付穴にボルト等を嵌合させて固定されている。このように固定されることにより、遊技球の接触による衝撃により案内部材５０が遊技球の進行方向に移動してしまうことを防ぐことができる。また、取付穴及びレール側取付穴は複数設けられており、案内部材５０の発射レール１４への取付位置を調整することができる。
【００２４】
【発明の効果】
以上、説明したように、請求項１に係る発明の遊技機では、フレームは、遊技領域が形成された遊技盤を載置し、発射装置はフレームの下部に取り付けられており、遊技球を遊技領域に向けて発射することができる。そして、案内部材は、発射装置が発射した遊技球の通過経路上に配置されており、遊技球が通過する貫通孔が形成されている。突出部材は、貫通孔の内部に突出し、貫通孔を通過する遊技球が接触するので、遊技球へ回転を与えることができる。したがって、貫通孔を通過する遊技球には突出部材に触れることにより、進行方向と逆向きに回転が与えられる。よって、この回転により発射された遊技球の軌跡を安定させることができる。
【００２５】
また、請求項２に係る発明の遊技機では、請求項１に記載の発明の効果に加えて、案内部材に備えられた孔部は貫通孔の穿設方向と交差する方向に穿設され、螺旋溝を有しており、突出部材のネジ部は、雄ネジ形状に形成されて孔部に螺合し、先端部は、孔部の貫通孔側に退出可能に係止されて、貫通孔の内部へ突出し、弾性部材は、ネジ部と先端部との間に設けられている。よって、遊技球が突出部材の先端部に接触した際に、先端部が弾性部材側に移動し、遊技球の通過後には弾性部材の付勢力により元の位置に戻る。また、ネジ部の回動により、弾性部材の付勢力が調整可能であり、孔部の螺旋溝とネジ部を深くまで螺合することにより付勢力は強められ、浅く螺合することにより付勢力を弱められる。付勢力が強い場合には、先端部の弾性部材側への移動が少なく、付勢力が弱い場合には移動が多くなり、それに伴い、遊技球の先端部への衝撃も変化し、付勢力が強く衝撃が強い場合には回転付与がされ易く、付勢力が弱く衝撃が弱い場合には回転付与が少なくなる。つまり、付勢力を調整することにより、遊技球への回転付与が調整される。
【００２６】
また、請求項３に係る発明の遊技機では、請求項１又は２に記載の発明の効果に加えて、案内部材の貫通孔には複数の螺線状溝が備えられている。ここで、螺線とは、ある軸の回りを一定の角速度で円運動しながら、軸方向に一定の速さで移動する点の描く軌跡である空間曲線である。したがって、ライフル銃等の銃身に刻まれたライフリングによる銃弾の回転と同様に、案内部材の貫通孔を通過する遊技球に螺線状溝の回転方向と同方向に回転をかけることができる。よって、回転により発射された遊技球の軌跡を安定させることができる。
【図面の簡単な説明】
【図１】図１は、パチンコ機１のガラス枠を開放した状態の正面図である。
【図２】図２は、突出部材６０と案内部材５０との螺合を解いた分解斜視図である。
【図３】図３は、突出部材６０が取り付けられている案内部材５０の断面図である。
【図４】図４は、突出部材６０が取り付けられている案内部材５０の断面図である。
【図５】図５は、遊技球７０が突出部材６０に接触している状態で案内部材５０をＢ方向から見た断面図である。
【図６】図６は、本発明の変形例の一例である、通過路５１を形成する面に複数の螺線状の溝６５が設けられている案内部材５０の断面図である。
【図７】図７は、本発明の変形例の一例である、底辺部分がカットされた案内部材５０の断面図である。
【符号の説明】
１  パチンコ機
１１  発射ユニット
１４  発射レール
５０  案内部材
５１  通過路
５２  螺合孔
５３  上面
６０  突出部材
６１  頭部
６２  ネジ部
６３  バネ
６４  先端部
６５  溝
７０  遊技球
【図１】
2004283496.tif 000003
【図２】
2004283496.tif 000004
【図３】
2004283496.tif 000005
【図４】
2004283496.tif 000006
【図５】
2004283496.tif 000007
【図６】
2004283496.tif 000008
【図７】
2004283496.tif 000009